(57)【要約】【要  約】【課  題】  公知発明（特開２００２−２７１１２８号）の長所を損なうことなく改良して、そのアンテナ利得を一層向上させる。【解決手段】 鎖線で囲んで示した符号Ａｇ，Ｂｇの構成部分は、それぞれ公知発明の構成と類似である。本発明は「第１ループアンテナ素子１Ａと第１λ／４励振器２Ａとから成るＡｇのループアンテナ」および「第２ループアンテナ素子１Ｂと第２λ／４励振器２Ｂとから成るＢｇのループアンテナ」をＸ軸方向に配列してアレーを組む。これら２つのループアンテナ素子に給電するため、電気的長さλの伝送線路（ストリップライン５）を設けて、その中央の点ａに同軸ケーブル７を接続する。上記電気的長さλのストリップライン５は２分されて電気的長さλ／２の伝送線路が形成され、ループアンテナ素子の給電回路のインピーダンスが整合される。【選択図】  図１
2005130348.tif 000002
【特許請求の範囲】
【請求項１】
波長λの電波を送受信するアンテナを構成する方法において、
直交３軸Ｘ，Ｙ，Ｚを想定し、
Ｘ−Ｙ面に平行な面Ｐに沿って反射板（６）を設けるとともに、
上記反射板（６）に対し直流的に絶縁して、電気的長さλの伝送線路（５）をＸ軸方向に設け、
上記電気的長さλの伝送線路（５）の中央の点ａを給電点として、同軸ケーブル（７）の中心導体を接続導通せしめ、
さらに、前記の面Ｐと平行な面Ｑに揃えて、２個の「全周の電気的長さがλであるループアンテナ素子（１Ａ，１Ｂ）」を、Ｘ軸方向に配列するとともに、
それぞれのループアンテナ素子に対し「電気的長さλ／４の励振器（２Ａ，２Ｂ）」を
対向離間せしめて、結合静電容量Ｃｃを形成せしめ、
かつ前記伝送線路（５）の両端の点ｂ、ｃのそれぞれを、前記励振器（２Ａ，２Ｂ，）
に接続導通することを特徴とする、反射板つきアレー形ループアンテナの構成方法。
【請求項２】
波長λの電波を送受信するアンテナを構成する方法において、
直交３軸Ｘ，Ｙ，Ｚを想定し、
全周の電気的長さがλである４個のループアンテナ素子（１Ａ，１Ｂ，１Ｃ，１Ｄ）を
Ｘ−Ｙ面と平行な面Ｐに揃えて、Ｘ軸方向に配列するとともに、
上記４個のループアンテナ素子のそれぞれに対向離間せしめて、各１個の「電気的長さλ／４の励振器（２Ａ，２Ｂ，２Ｃ，２Ｄ）」を配置して相互の間に結合静電容量Ｃｃを形成せしめ、
かつ、前記の面Ｐと平行に反射板６を設けるとともに、
電気的長さλの２本の伝送線路（５ＡＢ，５ＣＤ）をＸ軸方向に配列して、それぞれの中央の点ａ，ｅを給電点とし、
上記２個の給電点ａ，ｅのそれぞれに対し「電気的長さ２λのＸ軸方向の伝送線路１０」の両端それぞれを接続導通して、４個のループアンテナ素子（１Ａ，１Ｂ，１Ｃ，１Ｄ）から成る反射板つきアレー形ループアンテナを構成し、
要すれば、上記４個のループアンテナ素子から成るアレー構造をＸ軸方向に配列することによって、２のｎ乗個のループアンテナ素子から成る反射板つきアレー形ループアンテナを構成する方法。
【請求項３】
前記反射板（６）に密着させて電気絶縁板（１２）を配設するとともに、
上記電気絶縁板（１２）が反射板（６）に接している面の反対側の面に密着せしめて、
ＰＣ線製の伝送線路（１３）を配置することを特徴とする請求項１または請求項２に記載した反射板つきアレー形ループアンテナの構成方法。            
【請求項４】
前記反射板（６）に密着させてプリント基板（４）を配置し、
上記プリント基板（４）に、導通パターンから成るストリップラインを形成し、このストリップラインによって前記の伝送線路（５）を構成することを特徴とする請求項１または請求項２に記載した反射板つきアレー形ループアンテナの構成方法。
【請求項５】
波長λの電波を送受信するアンテナにおいて、
直交３軸Ｘ，Ｙ，Ｚ、および、Ｘ−Ｙ面に平行な２面Ｐ，Ｑを想定し、
面Ｐに沿って反射板（６）が設けられるとともに、面Ｑに沿って２個の「全周の電気的長さがλであるループアンテナ素子（１Ａ，１Ｂ）」が、Ｘ軸方向に配列されており、
かつ、２個の「電気的長さがλ／４である励振器（２Ａ，２Ｂ）」のそれぞれが、上記２個のループアンテナ素子のそれぞれに対向離間して、相互の間に結合静電容量Ｃｃを形成していて、
さらに、前記反射板に対し直流的に絶縁して「電気的長さλの伝送線路（５）」がＸ軸方向に設けられるとともに、該伝送線路の両端がそれぞれ前記励振器に接続導通され、
かつ、前記伝送線路（５）の中央の点ａを給電点として、
同軸ケーブル（７）の中心導体が前記の給電点ａに接続されるとともに、外部導体が前記反射板（６）に接続されていることを特徴とする反射板つきアレー形ループアンテナ。
【請求項６】
波長λの電波を送受信するアンテナにおいて、
直交３軸Ｘ，Ｙ，Ｚ、および、Ｘ−Ｙ面に平行な２面Ｐ，Ｑを想定し、
面Ｐに沿って反射板（６）が設けられるとともに、面Ｑに沿って４個の「全周の電気的長さがλであるループアンテナ素子（１Ａ，１Ｂ１Ｃ，１Ｄ）」が、Ｘ軸方向に配列されていて、
かつ、４個の「電気的長さがλ／４である励振器（２Ａ，２Ｂ２Ｃ，２Ｄ）」のそれぞれが、上記４個のループアンテナ素子のそれぞれに対向離間して、相互の間に結合静電容量Ｃｃを形成しており、
さらに、前記反射板に対し直流的に絶縁して２本の「電気的長さλの伝送線路（５ＡＢ，５ＣＤ）」がＸ軸方向に設けられるとともに、これら２本の伝送線路それぞれの両端が前記４個の励振器に接続導通されており、
かつ、前記２本の伝送線路（５ＡＢ，５ＣＤ）それぞれの中央の点ａ，ｅを給電点として、電気的長さ２λの伝送線路（１０）の両端それぞれが、前記２個の給電点ａ，ｂに接続導通されるとともに、該２λ伝送線路（１０）の中央の点ｄが、電気的長さλ／４の伝送線路（１１）を介して高周波回路（９）に接続導通され得るようになっていることを特徴とする、反射板つきアレー形ループアンテナ。
【請求項７】
前記のループアンテナ素子と励振器とが別体に構成されるとともに、電気絶縁板（１４）に取り付けて支持されており、
かつ、上記電気絶縁板が面Ｑに沿うように支持されていることを特徴とする請求項５または請求項６に記載した反射板つきアレー形ループアンテナ。
【請求項８】
面Ｑに沿ってプリント基板（３）が配置されるとともに、
前記のループアンテナ素子および励振器が、上記プリント基板上に、導通パターンによって構成されていることを特徴とする請求項５または請求項６に記載した反射板つきアレー形ループアンテナ。
【請求項９】
前記の反射板（６）と平行に両面プリント基板（４）が設置されていて、上記両面プリント基板の片方の面に形成されたグランド板が前記反射板に密着しており、
かつ、該両面プリント基板の他方の面に形成されたストリップラインによって、前記の
伝送線路が構成されていることを特徴とする、請求項５ないし請求項８の何れかに記載した反射板つきアレー形ループアンテナ。
【請求項１０】
前記反射板（６）に、電気絶縁材料（望ましくはＡＢＳ）製の板状部材（１２）が密着固定されているとともに、
ＰＣ線で構成された「電気的長さλの伝送線路（１３）」が、上記電気絶縁板（１２）に取り付けられており、
かつ、上記電気的長さλのＰＣ線製伝送線路（１３）の両端が、電気的長さλ／４だけ延長されて、この延長部分がλ／４励振器（２Ａ，２Ｂ）として機能するようになっていることを特徴とする請求項５ないし請求項８の何れかに記載した反射板つきアレー形ループアンテナ。
【請求項１１】
前記請求項５ないし請求項８の何れか一つに係る反射板つきアレー形ループアンテナが、簡易基地局のアンテナとして用いられていることを特徴とする無線ＬＡＮ（ローカル エリア ネットワーク）装置。
【発明の詳細な説明】
【技術分野】
【０００１】
本発明は，数ギガヘルツの電波を送受信するに好適なように創作したアンテナに係り、特に、無線ＬＡＮの基地局用として最適である。
【背景技術】
【０００２】
ギガヘルツ帯の電波を送受信するに適したアンテナとして、特開２００２−２７１１２８号に記載された｛簡易型高利得平面アンテナおよびその構成方法並びに無線ＬＡＮ」が有る（以下、公知発明という）。
上記の公知発明は、波長λに共振するループアンテナと、波長λ／４に共振する励振器と、反射板とによって構成され、構造が簡単で製造コストが安く、アンテナ利得が高くて
同調周波数帯が広い上に小形軽量であるという、極めて優れたものであり、
しかも、例えば同軸ケーブルのような不平衡回路によって簡単に給電することができるので、現に多数のユーザーによって賞用されている。
【特許文献１】特開２００２−２７１１２８号公報
【発明の開示】
【発明が解決しようとする課題】
【０００３】
前記の公知発明に係るアンテナは、小形軽量，低コスト、高利得，広帯域性という優れた特性を有していて、しかも同軸ケーブルによって給電できるので、無線ＬＡＮの子局用としては今日なお、その右に出るものが無い。
しかし、無線ＬＡＮの基地局ないし簡易基地局用のアンテナとして用いるには、前記公知発明における小型軽量，低コスト、広帯域性といった長所を損なうことなく、一層の
高利得が望まれる。
本発明は上述の事情に鑑みて為されたものであって、その目的とするところは、
前記公知発明（特開２００２−２７１１２８号）を更に改良して、小型軽量，低コスト、広帯域といった長所を著しく損なうことなく、そのアンテナ利得を格段に向上せしめ、
かつ、工業的生産に適した構成を創作するにある。
【課題を解決するための手段】
【０００４】
上記の目的を達成するために創作した本発明の基本的原理を、その１実施例に相当する
図２（Ａ）を参照して略述すると次のとおりである。
仮想線で囲んで符号Ａｇを付した構成部分は、前記の公知発明（特開２００２−２７１１２８号）と類似の構造であって、全周の電気的長さλの第１ループアンテナ素子１Ａと
電気的長さλ／４の第１λ／４励振器２Ａとが結合静電要領Ｃｃを介して電磁的に結合され、かつ、上記の第１ループアンテナ素子１Ａと平行に反射板６が設けられている。
本発明においては、上記の仮想線で囲んだ構成部分Ａｇと同様な構成部分Ｂｇ（仮想線で囲んで示す）をＸ軸方向に配列してアレーを組む。
【０００５】
同様なアンテナ素子を配列してアレーを組むというだけであれば公知の手法に過ぎないが、本発明においては、アレーアンテナ全体としてコンパクトに構成され、かつ、それぞれのアンテナ素子が協働して高性能を発揮するよう、後述のごとく伝送線路まわりに格別の配慮を加えてある。
以下に述べる本発明の構成要件を検討されるに当たっては、単に理論的にどのように作用するかといった実験質的な考察に留まらず、工業的生産における精度確保の難易や、製品歩留まり率や、大量生産における製品品質の均一性確保の難易といった実用面の効果を
御理解いただきたい。
【０００６】
以上に説明した原理に基づいて請求項１に係る発明方法の構成は、波長λの電波を送受信するアンテナを構成する方法において（図１参照）、
直交３軸Ｘ，Ｙ，Ｚを想定し、
Ｘ−Ｙ面に平行な面Ｐに沿って反射板（６）を設けるとともに、
上記反射板（６）に対し直流的に絶縁して、電気的長さλの伝送線路（５）をＸ軸方向に設け、
上記電気的長さλの伝送線路（図１において、ストリップライン５で構成されている）の中央の点ａを給電点として、同軸ケーブル（７）の中心導体を接続導通せしめ、
さらに、前記の面Ｐと平行な面Ｑに揃えて、２個の「全周の電気的長さがλであるループアンテナ素子（１Ａ，１Ｂ）」を、Ｘ軸方向に配列するとともに、
それぞれのループアンテナ素子に対し「電気的長さλ／４の励振器（２Ａ，２Ｂ）」を対向離間せしめて、結合静電容量Ｃｃを形成せしめ、
かつ前記伝送線路（５）の両端の点ｂ、ｃのそれぞれを、前記励振器（２Ａ，２Ｂ，）
に接続導通することを特徴とする。
【０００７】
以上に説明した請求項１の発明方法によると、公知発明における小型軽量，低コスト、広帯域性といった長所を損なうことなく、一層の高利得が得られる。特に、電気的長さλの伝送線路（図１においてストリップライン５）の中央の点ａが給電点になっているので、該伝送線路の両端それぞれに接続された励振器は電気的長さλ／２の伝送線路によって給電されることになる。
このため、伝送線路の原理的特性によって、励振器の給電点ｂ，ｃのインピーダンスが
（伝送線路の特性インピーダンスに関係すること無く）それぞれ給電点ａのインピーダンスと同値になる。
一方、前記の給電点ａに同軸ケーブル（７）の中心導体が接続導通されているので、該
同軸ケーブルのインピーダンス値（５０Ω）が励振器給電点のインピーダンス値となる。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
上述のごとく、２個の励振器それぞれに給電する伝送線路の電気的長さをλ／２としたところに本発明のポイントが有る。 
【０００８】
請求項２に係る発明方法の構成は、（図３参照）波長λの電波を送受信するアンテナを構成する方法において、
直交３軸Ｘ，Ｙ，Ｚを想定し、
全周の電気的長さがλである４個のループアンテナ素子（１Ａ，１Ｂ，１Ｃ，１Ｄ）を
Ｘ−Ｙ面と平行な面Ｐに揃えて、Ｘ軸方向に配列するとともに、
上記４個のループアンテナ素子のそれぞれに対向離間せしめて、各１個の「電気的長さλ／４の励振器（２Ａ，２Ｂ，２Ｃ，２Ｄ）」を配置して相互の間に結合静電容量Ｃｃを形成せしめ、
かつ、前記の面Ｐと平行に反射板６を設けるとともに、
電気的長さλの２本の伝送線路（５ＡＢ，５ＣＤ）をＸ軸方向に配列して、それぞれの中央の点ａ，ｅを給電点とし、
上記２個の給電点ａ，ｅのそれぞれに対し「電気的長さ２λのＸ軸方向の伝送線路１０」の両端それぞれを接続導通して、４個のループアンテナ素子（１Ａ，１Ｂ，１Ｃ，１Ｄ）から成る反射板つきアレー形ループアンテナを構成し、
要すれば、上記４個のループアンテナ素子から成るアレー構造をＸ軸方向に配列することによって、２のｎ乗個のループアンテナ素子から成る反射板つきアレー形ループアンテナを構成することを特徴とする。
【０００９】
以上に説明した請求項２の発明方法によると、公知発明における小型軽量，低コスト、広帯域性といった長所を損なうことなく、一層の高利得が得られる。特に、電気的長さλの２本の伝送線路（５ＡＢ，５ＣＤ）それぞれの中央の点ａ，ｅが給電点になっているので、該２本の伝送線路の両端それぞれに接続された励振器は電気的長さλ／２の伝送線路によって給電されることになる（図３に、電気的長さλ／２の部分を１箇所だけ寸法線で例示してある）。
このため、伝送線路の原理的特性によって、２個の励振器の給電点それぞれのインピーダンスが（伝送線路の特性インピーダンスに関係すること無く）それぞれ給電点ａ，ｅのインピーダンスと同値になる。                         
さらに、前記の給電点ａ，ｅに「電気的長さ２λの伝送線路（１０）」の両端が接続導通されるとともに、該伝送線路（１０）の中央の点ｄが、「電気的長さλ／４の伝送線路（１１）を介して高周波回路（９）に接続されているので、前記４個のループアンテナ（１Ａ，１Ｂ，１Ｃ，１Ｄ）の給電回路全体が整合される。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
上述のごとく、２個の励振器それぞれに給電する伝送線路の電気的長さをλ／２としたところに本発明のポイントが有る。 
【００１０】
請求項３に係る発明方法の構成は、前記請求項１または請求項２の発明方法の構成要件に加えて、（図４（Ｂ）参照）前記反射板（６）に密着させて電気絶縁板（１２）を配設するとともに、
上記電気絶縁板（１２）が反射板（６）に接している面の反対側の面に密着せしめて、
ＰＣ線製の伝送線路（１３）を配置することを特徴とする。
【００１１】
以上に説明した請求項３の発明方法によると、伝送線路を反射板に対して電気的に絶縁する部材（電気絶縁板１２）の材質を任意に選定することができる。
こうした利点を活用して、該電気絶縁板（１２）をＡＢＳで構成すると、比較的に高い周波数（例えば２ＧＨｚ以上）でも損失が少ない。
さらに、伝送線路を構成するＰＣ線（銅で被覆された鋼線）は、高周波電流に対する電気抵抗が小さくて所謂オーム損が少なく、しかも鋼芯の作用で剛性が高く、反射板に対してループアンテナ素子や励振器を機械的に支持する能力が大きい。
【００１２】
請求項４に係る発明方法の構成は、前記請求項１または請求項２の発明方法の構成要件に加えて、（図４（Ａ）参照）前記反射板（６）に密着せしめてプリント基板（４）を配置し、
上記プリント基板（４）に、導通パターンから成るストリップラインを形成し、このイリップラインによって前記の伝送線路（５）を構成することを特徴とする
【００１３】
以上に説明した請求項４の発明方法によると、プリント基板の導通パターンよって伝送線路を構成することにより、該伝送線路を反射板（６）に対して自然に絶縁できる。
しかも、基板のプリント配線技術を適用して正確な形状寸法の伝送線路を低コストで大量生産することができ、製品品質の均一性が保証される。
【００１４】
請求項５の発明に係るアレーアンテナの構成は、（図１参照）波長λの電波を送受信するアンテナにおいて、
直交３軸Ｘ，Ｙ，Ｚ、および、Ｘ−Ｙ面に平行な２面Ｐ，Ｑを想定し、
面Ｐに沿って反射板（６）が設けられるとともに、面Ｑに沿って２個の「全周の電気的長さがλであるループアンテナ素子（１Ａ，１Ｂ）」が、Ｘ軸方向に配列されており、
かつ、２個の「電気的長さがλ／４である励振器（２Ａ，２Ｂ）」のそれぞれが、上記２個のループアンテナ素子のそれぞれに対向離間して、相互の間に結合静電容量Ｃｃを形成していて、
さらに、前記反射板に対し直流的に絶縁して「電気的長さλの伝送線路（５）」がＸ軸方向に設けられるとともに、該伝送線路の両端がそれぞれ前記励振器に接続導通され、
かつ、前記伝送線路（５）の中央の点ａを給電点として、
同軸ケーブル（７）の中心導体が前記の給電点ａに接続されるとともに、外部導体が前記反射板（６）に接続されていることを特徴とする。
【００１５】
以上に説明した請求項５の発明によると、公知発明に係る非アレー形反射板つきループアンテナにおける小型軽量，低コスト、広帯域性といった長所を損なうことなく、一層の高利得が得られる。特に、電気的長さλの伝送線路（図１においてストリップライン５）の中央の点ａが給電点になっているので、該伝送線路の両端それぞれに接続された励振器は電気的長さλ／２の伝送線路によって給電されることになる。
このため、伝送線路の原理的特性によって、励振器の給電点ｂ，ｃのインピーダンスが（伝送線路の特性インピーダンスに関係すること無く）それぞれ給電点ａのインピーダンスと同値になる。
一方、前記の給電点ａに同軸ケーブル（７）の中心導体が接続導通されているので、該
同軸ケーブルのインピーダンス値（５０Ω）が励振器給電点のインピーダンス値となる。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
【００１６】
請求項６の発明に係るアレーアンテナの構成は、（図３参照）波長λの電波を送受信するアンテナにおいて、
直交３軸Ｘ，Ｙ，Ｚ、および、Ｘ−Ｙ面に平行な２面Ｐ，Ｑを想定し、
面Ｐに沿って反射板（６）が設けられるとともに、面Ｑに沿って４個の「全周の電気的長さがλであるループアンテナ素子（１Ａ，１Ｂ１Ｃ，１Ｄ）」が、Ｘ軸方向に配列されていて、
かつ、４個の「電気的長さがλ／４である励振器（２Ａ，２Ｂ２Ｃ，２Ｄ）」のそれぞれが、上記４個のループアンテナ素子のそれぞれに対向離間して、相互の間に結合静電容量Ｃｃを形成しており、
さらに、前記反射板に対し直流的に絶縁して２本の「電気的長さλの伝送線路（５ＡＢ，５ＣＤ）」がＸ軸方向に設けられるとともに、これら２本の伝送線路それぞれの両端が前記４個の励振器に接続導通されており、
かつ、前記２本の伝送線路（５ＡＢ，５ＣＤ）それぞれの中央の点ａ，ｅを給電点として、電気的長さ２λの伝送線路（１０）の両端それぞれが、前記２個の給電点ａ，ｂに接続導通されるとともに、該２λ伝送線路（１０）の中央の点ｄが、電気的長さλ／４の伝送線路（１１）を介して高周波回路（９）に接続導通され得るようになっていることを特徴とする。
【００１７】
以上に説明した請求項６の発明によると、公知発明における小型軽量，低コスト、広帯域性といった長所を損なうことなく、一層の高利得が得られる。特に、電気的長さλの２本の伝送線路（５ＡＢ，５ＣＤ）それぞれの中央の点ａ，ｅが給電点になっているので、  該２本の伝送線路の両端それぞれに接続された励振器は電気的長さλ／２の伝送線路によって給電されることになる（図３に、電気的長さλ／２の部分を１箇所だけ寸法線で例示してある）。
このため、伝送線路の原理的特性によって、２個の励振器の給電点それぞれのインピーダンスが（伝送線路の特性インピーダンスに関係すること無く）それぞれ給電点ａ，ｅのインピーダンスと同値になる。
さらに、前記の給電点ａ，ｅに「電気的長さ２λの伝送線路（１０）」の両端が接続導通されるとともに、該伝送線路（１０）の中央の点ｄが、「電気的長さλ／４の伝送線路（１１）を介して高周波回路（９）に接続されているので、前記４個のループアンテナ（１Ａ，１Ｂ，１Ｃ，１Ｄ）の給電回路全体が整合される。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
上述のごとく、２個の励振器それぞれに給電する伝送線路の電気的長さをλ／２としたところに本発明のポイントが有る。
【００１８】
請求項７に係る発明の構成は、前記請求項５または請求項６の発明の構成要件に加えて（図５（Ｂ）参照）前記のループアンテナ素子（１Ａ，１Ｂ）と励振器（２Ａ，２Ｂ）とが別体に構成されるとともに、これらの部材が電気絶縁板（１４）に取り付けて支持されており、
かつ、上記電気絶縁板が面Ｑに沿うように支持されていることを特徴とする。
【００１９】
以上に説明した請求項７の発明によると、ループアンテナ素子と励振器とが別体に構成されて、これらの部材が電気絶縁板に取り付けて支持される構造であるから、該ループアンテナ素子と励振器との位置関係や設置個数を任意に設定することができる。
すなわち、励振器をループアンテナ素子の外側に位置せしめることもでき、内側に位置せしめることもできる。このように、設計的自由度が大きく、ユーザーの各種要請に即応し易い。
さらに、ループアンテナ素子と励振器との対偶を１組設けて公知例の反射板つきアンテナを生産することもでき、この対偶を２組設けてアレーに組むこともできる。このように
設計的自由度が大きいのみならず、異なった型式のアンテナ間の部品互換性が大きい。
【００２０】
請求項８に係る発明の構成は、前記請求項５または請求項６の発明の構成要件に加えて（図５（Ａ）参照）面Ｑに沿ってプリント基板（３）が配置されるとともに、
前記のループアンテナ素子（１Ａ，１Ｂ）および励振器（２Ａ，２Ｂ）が、上記プリント基板上に、導通パターンによって構成されていることを特徴とする。
【００２１】
以上に説明した請求項８の発明によると、ループアンテナ素子および励振器がプリント基板の導通パターンで形成されているので、大量生産に適している。
すなわち、１個ないし数個の試作品を作る場合には高価であるが、基板のプリント配線技術を適用して数千個，数万個の製品を量産すれば１個あたりの生産コストは著しく安価になり、しかも均一な品質で高精度の製品が得られる。
上記のように部品コストも安いが、組み立てコストも非常に安価である。その上、製品を使用している間にループアンテナ素子と励振器との位置関係に狂いを生じる虞れが無く、信頼性，耐久性に優れている。
【００２２】
請求項９に係る発明の構成は、前記請求項５ないし請求項８の発明の構成要件に加えて（図４（Ａ）参照）前記の反射板（６）と平行に両面プリント基板（４）が設置されていて、上記両面プリント基板の片方の面に形成されたグランド板が前記反射板に密着せしめられており、
かつ、該両面プリント基板の他方の面に形成されたストリップラインによって、前記の
伝送線路が構成されていることを特徴とする。
【００２３】
以上に説明した請求項９の発明によると、ストリップラインで構成された伝送線路が両面プリント基板の片方の面に形成されているので、該伝送線路が自然に（別段の支持部材を設ける必要無く）、反射板に対して平行に支持され、しかも双方の部材の電気的絶縁が
確保される。
その上、伝送線路は細い線状の部材であるが、本請求項９を適用して導通パターンで構成してあるので、支持状態が強固であり、特に耐振性に優れている。
しかも、基板のプリント配線技術を適用して、多数の製品を高精度、低コストで工業的に生産することができる。
【００２４】
請求項１０に係る発明の構成は、前記請求項５ないし請求項８の発明の構成要件に加えて、（図４（Ｂ）参照）前記反射板（６）に、電気絶縁材料（望ましくはＡＢＳ）製の板状部材（１２）が密着固定されているとともに、
ＰＣ線で構成された「電気的長さλの伝送線路（１３）」が、上記電気絶縁板（１２）に取り付けられており、
かつ、上記電気的長さλのＰＣ線製伝送線路（１３）の両端が、電気的長さλ／４だけ延長されて、この延長部分がλ／４励振器（２Ａ，２Ｂ）として機能するようになっていることを特徴とする。
【００２５】
以上に説明した請求項１０の発明によると、伝送線路が反射板に対して平行に、かつ、電気的に絶縁されて強固に支持される。
しかも、電気絶縁材の種類を任意に選択できるので、所望の誘電率を有し、価格が適当な材料（例えばＡＢＳ）を用いることができる。
誘電率の高い絶縁材料を用いれば、伝送線路の電気的長さに比して機械的寸法が短縮される（誘電率の平方根に反比例）。このため、複数のループアンテナ素子相互の配置間隔を短くでき、結果としてアレーアンテナ全体の輪郭寸法が短縮される。
さらに、ＰＣ線は高周波電流に対する電気抵抗が小さく、かつ、機械的強度が大きいので、小型軽量，高性能で，低コストのアレーアンテナを構成することができる。
【００２６】
請求項１１の発明に係る無線ＬＡＮの構成は、前記請求項５ないし請求項８の何れか一つに係る反射板つきアレー形ループアンテナが、簡易基地局のアンテナとして用いられていることを特徴とする        
【００２７】
以上に説明した請求項１１の発明に係る無線ＬＡＮは、その基地局のアンテナが小型軽量、低コストであり、しかも高利得，広帯域性と指向性とを有しているので、無線ＬＡＮ装置全体を高性能ならしめ得る。
【発明の効果】
【００２８】
請求項１の発明方法によると、公知発明における小型軽量，低コスト、広帯域性といった長所を損なうことなく、一層の高利得が得られる。特に、電気的長さλの伝送線路の中央の点ａが給電点になっているので、該伝送線路の両端それぞれに接続された励振器は電気的長さλ／２の伝送線路によって給電されることになる。
このため、伝送線路の原理的特性によって、励振器の給電点ｂ，ｃのインピーダンスが（伝送線路の特性インピーダンスに関係すること無く）それぞれ給電点ａのインピーダンスと同値になる。
一方、前記の給電点ａに同軸ケーブル（７）の中心導体が接続導通されているので、該
同軸ケーブルのインピーダンス値（５０Ω）が励振器給電点のインピーダンス値となる。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
【００２９】
請求項２に係る発明方法によると、公知発明における小型軽量，低コスト、広帯域性といった長所を損なうことなく、一層の高利得が得られる。特に、電気的長さλの２本の伝送線路（５ＡＢ，５ＣＤ）それぞれの中央の点ａ，ｅが給電点になっているので、該２本の伝送線路の両端それぞれに接続された励振器は電気的長さλ／２の伝送線路によって給電されることになる。
このため、伝送線路の原理的特性によって、２個の励振器の給電点それぞれのインピーダンスが（伝送線路の特性インピーダンスに関係すること無く）それぞれ給電点ａ，ｅのインピーダンスと同値になる。
さらに、前記の給電点ａ，ｅに「電気的長さ２λの伝送線路（１０）」の両端が接続導通されるとともに、該伝送線路（１０）の中央の点ｄが、「電気的長さλ／４の伝送線路（１１）を介して高周波回路（９）に接続されているので、前記４個のループアンテナ（１Ａ，１Ｂ，１Ｃ，１Ｄ）の給電回路全体が整合される。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
【００３０】
請求項３の発明方法によると、伝送線路を反射板に対して電気的に絶縁する部材（電気絶縁板１２）の材質を任意に選定することができる。
こうした利点を活用して、該電気絶縁板（１２）をＡＢＳで構成すると、比較的に高い周波数（例えば２ＧＨｚ以上）でも損失が少ない。
さらに、伝送線路を構成するＰＣ線（銅で被覆された鋼線）は、高周波電流に対する電気抵抗が小さくて所謂オーム損が少なく、しかも鋼芯の作用で剛性が高く、反射板に対してループアンテナ素子や励振器を機械的に支持する能力が大きい。
【００３１】
請求項４の発明方法によると、プリント基板の導通パターンよって伝送線路を構成することにより、該伝送線路を反射板（６）に対して本来的に絶縁できる。
しかも、基板のプリント配線技術を適用して正確な形状寸法の伝送線路を低コストで大量生産することができ、製品品質の均一性が保証される。
【００３２】
請求項５の発明によると、公知発明に係る非アレー形反射板つきループアンテナにおける小型軽量，低コスト、広帯域性といった長所を損なうことなく、一層の高利得が得られる。特に、電気的長さλの伝送線路（図１においてストリップライン５）の中央の点ａが給電点になっているので、該伝送線路の両端それぞれに接続された励振器は電気的長さλ／２の伝送線路によって給電されることになる。
このため、伝送線路の原理的特性によって、励振器の給電点ｂ，ｃのインピーダンスが（伝送線路の特性インピーダンスに関係すること無く）それぞれ給電点ａのインピーダンスと同値になる。
一方、前記の給電点ａに同軸ケーブル（７）の中心導体が接続導通されているので、該
同軸ケーブルのインピーダンス値（５０Ω）が励振器給電点のインピーダンス値となる。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
【００３３】
請求項６の発明によると、公知発明における小型軽量，低コスト、広帯域性といった長所を損なうことなく、一層の高利得が得られる。特に、電気的長さλの２本の伝送線路（５ＡＢ，５ＣＤ）それぞれの中央の点ａ，ｅが給電点になっているので、  該２本の伝送線路の両端それぞれに接続された励振器は電気的長さλ／２の伝送線路によって給電されることになる。
このため、伝送線路の原理的特性によって、２個の励振器の給電点それぞれのインピーダンスが（伝送線路の特性インピーダンスに関係すること無く）それぞれ給電点ａ，ｅのインピーダンスと同値になる。
さらに、前記の給電点ａ，ｅに「電気的長さ２λの伝送線路（１０）」の両端が接続導通されるとともに、該伝送線路（１０）の中央の点ｄが、「電気的長さλ／４の伝送線路（１１）を介して高周波回路（９）に接続されているので、前記４個のループアンテナ（１Ａ，１Ｂ，１Ｃ，１Ｄ）の給電回路全体が整合される。
いま仮に、本発明を適用せずに、１本の同軸ケーブル（７）で２個の励振器（２Ａ，２Ｂ）のそれぞれに給電しようとすれば、該同軸ケーブル（インピーダンス５０Ω）が給電点ａで分岐されるので、２箇所の給電点ａ、ｂ間の特性インピーダンスを１００Ωに構成しなければならない。しかし、工業的生産において伝送線路の特性インピーダンスを特定の値に構成することは非常に難しく、作業員に高度の知識と熟練を要し、かつ多大の時間と労力と費やす。これに比して、本請求項を適用して伝送線路の電気的長さをλならしめることは、設計的にも製作実技に関しても格段に容易であり、高精度・高品質が容易に確保される。
【００３４】
請求項７の発明によると、ループアンテナ素子と励振器とが別体に構成されて、これらの部材が電気絶縁板に取り付けて支持される構造であるから、該ループアンテナ素子と励振器との位置関係や設置個数を任意に設定することができる。
すなわち、励振器をループアンテナ素子の外側に位置せしめることもでき、内側に位置せしめることもできる。このように、設計的自由度が大きく、ユーザーの各種要請に即応し易い。
さらに、ループアンテナ素子と励振器との対偶を１組設けて公知例の反射板つきアンテナを生産することもでき、この対偶を２組設けてアレーに組むこともできる。このように
設計的自由度が大きいのみならず、異なった型式のアンテナ間の部品互換性が大きい。
【００３５】
請求項８の発明によると、ループアンテナ素子および励振器がプリント基板の導通パターンで形成されているので、大量生産に適している。
すなわち、１個ないし数個の試作品を作る場合には高価であるが、基板のプリント配線技術を適用して数千個，数万個の製品を量産すれば１個あたりの生産コストは著しく安価になり、しかも均一な品質で高精度の製品が得られる。
上記のように部品コストも安いが、組み立てコストも非常に安価である。その上、製品を使用している間にループアンテナ素子と励振器との位置関係に狂いを生じる虞れが無く、信頼性，耐久性に優れている。
【００３６】
請求項９の発明によると、ストリップラインで構成された伝送線路が両面プリント基板の片方の面に形成されているので、該伝送線路が自然に（別段の支持部材を設ける必要無く）、反射板に対して平行に支持され、しかも双方の部材の電気的絶縁が確保される。
その上、伝送線路は細い線状の部材であるが、本請求項９を適用して導通パターンで構成してあるので、支持状態が強固であり、特に耐振性に優れている。
しかも、基板のプリント配線技術を適用して、多数の製品を高精度、低コストで工業的に生産することができる。
【００３７】
請求項１０の発明によると、伝送線路が反射板に対して平行に、かつ、電気的に絶縁されて強固に支持される。
しかも、電気絶縁材の種類を任意に選択できるので、誘電率が高く、加工が容易で、強度が大きく、価格が適当な材料（例えばＡＢＳ）を用いることができる。
誘電率の高い絶縁材料を用いれば、伝送線路の電気的長さに比して機械的寸法が短縮される（誘電率の平方根に反比例）。このため、複数のループアンテナ素子相互の配置間隔を短くでき、結果としてアレーアンテナ全体の輪郭寸法が短縮される。
さらに、ＰＣ線は高周波電流に対する電気抵抗が小さく、かつ、機械的強度が大きいので、小型軽量，高性能で，低コストのアレーアンテナを構成することができる。
【００３８】
請求項１１の発明に係る無線ＬＡＮは、その基地局のアンテナが小型軽量、低コストであり、しかも高利得，広帯域製と指向性とを有しているので、無線ＬＡＮ装置全体を高性能ならしめ得る。
【発明を実施するための最良の形態】
【００３９】
本発明の実施例に共通する事項について、図１を参照して説明する。
３次元空間に直交３軸Ｘ，Ｙ，Ｚを想定する。ただし本発明に係るアレーアンテナは、どのような姿勢でも使用できるから、Ｘ軸，Ｙ軸は必ずしも水平軸ではなく、またＺ軸は必ずしも垂直軸ではない。これらの３軸Ｘ，Ｙ，Ｚは相互に変換することができる。
ただし説明の便宜上、図面の上下に従って「上、下」を呼称し、図面の左右に従って「左，右」を呼称する。
Ｘ−Ｙ面に平行な２面Ｐ，Ｑを想定する。これら２面の間隔寸法はアンテナ性能に関係
するので規制されるが、詳しいことは実施例について後述する。
【実施例１】
【００４０】
図１は本発明の第１実施例を示す模式的な斜視図である。
面Ｐに沿って、導電材料製の反射板６が設けらるとともに、面Ｑに沿ってプリント基板３が設けられている。
該プリント基板３に、第１ループアンテナ素子１Ａと第２ループアンテナ素子１Ｂとが導通パターンで形成され、Ｘ軸方向に配列されている。両者の間隔は約λである。
上記２個のループアンテナ素子１Ａ，１Ｂのそれぞれに対向離間せしめて、第１λ／４励振器２Ａと第２λ／４励振器２Ｂとが導通パターンで構成されており、双方の間に静電容量Ｃｃが形成されている。
【００４１】
一方、前記反射板６の上に密着させて両面プリント基板４が配置されていて、その上方の面に、電気的長さλのストリップライン５がＸ軸方向に形成されている。
上記ストリップライン５の中央の点ａを給電点として、同軸ケーブル７の中心導体が接続導通されるとともに、その外部導体は反射板６に接続導通されている。
そして、前記の電気的長さλのストリップライン５の両端それぞれに第１ループアンテナ素子１Ａおよび第２ループアンテナ素子１Ｂが接続導通されている。
図示の点ｂは第１λ／４励振器２Ａの給電点であり、点ｃは第２ループアンテナ素子１Ｂの給電点である。
【００４２】
前記同軸ケーブル７の中心導体がストリップライン５の中央の点ａに接続導通されているので、２点ａｂ間、および、２点ａｃ間の電気的長さはそれぞれλ／２である。
伝送線路の原理的特性として、電気的長さλ／２の伝送線路の両端のインピーダンスが等しくなる。前記給電点ａは同軸ケーブル７に接続導通されてインピーダンスが５０Ωであるから、これが点ａで２分岐されて、第１λ／４励振器２Ａの給電点ｂのインピーダンスも、第２ループアンテナ素子１Ｂの給電点ｃのインピーダンスも、それぞれ１００Ωとなり、本実施例１（図１）における給電回路のインピーダンスが整合される（インピーダンス整合の詳細については図２（Ｂ）を参照して後に説明する）。
【００４３】
図２は上記実施例１の作用を説明するために示したもので、（Ａ）は模式的な斜視図、
（Ｂ）は模式的に描いた展開図である。両図ともに図の左右がＸ軸である。（Ａ）図のＹ，Ｚ軸は図示のとおりである。（Ｂ）図は展開して描いてあるからＹ軸方向とＺ軸方向とが特定されない。
図２（Ａ）は前掲の図１とほとんど同じである。仮想線で囲んで示したＡｇおよびＢｇは、それぞれ公知発明の構成と類似である。これら２組の構成部分をアレーに組んであるから、該公知発明に比してアンテナ利得が高い（理論的には３ｄＢの向上が可能である）
【００４４】
（図２（Ｂ）参照）符号９は信号源の高周波回路（インピーダンス５０Ω）である。
伝送線路が点ａで２分岐されてそれぞれ１００Ωとなる。
上記の点ａとの間を「電気的長さλ／２の伝送線路」で結ばれている２点ｂ，ｃのインピーダンスもそれぞれ１００Ωとなる。  
上記のように給電回路のインピーダンスが整合されて、第１ループアンテナ素子１Ａと
第２ループアンテナ素子１Ｂとは送受信電波に対して同位相となる。すなわち、これらの
ループアンテナ素子にが波長λの電波に同調して定在波が乗ったとき、図示した２個のループアンテナ素子に付記した矢印のように同じ状態になって、約２倍（３ｄＢ）の高利得
が得られる。
【実施例２】
【００４５】
図３は実施例２を展開して描いた模式図であって、実施例１を描いた図１に対応する。
本図３において「第１ループアンテナ素子１Ａと第１λ／４励振器２Ａとから成るＡグループの素子群」と「第２ループアンテナ素子１Ｂと第２λ／４励振器２Ｂとから成るＢグループの素子群」とが、電気的長さλの伝送線路５ＡＢで結ばれているのは、前掲の図２
に示した構成部分に対応している。
また、「第３ループアンテナ素子１Ｃと第３λ／４励振器２Ｃとから成るＣグループ
の素子群」と「第４ループアンテナ素子１Ｄと第４λ／４励振器２Ｄとから成るＤグループの素子群」とが電気的長さλの伝送線路５ＣＤで結ばれた構成部分も、前記Ａ，Ｂグループと同様に、前掲の図２に示した構成部分に対応している。要するに、図２の構成の２組がＸ軸方向に配列されている。
【００４６】
Ａ，Ｂ両グループのアレーと、Ｃ，Ｄ両グループのアレーとをＸ軸方向に配列するためには、これら２組のアレーの給電回路のインピーダンスを整合しなければならない。
Ａ，Ｂ両グループのアレーの給電点ａと、Ｃ，Ｄ両グループのアレーの給電点ｅとを、
「Ｘ軸方向に配列された、電気的長さ２λの伝送線路１０」で接続する。
伝送線路１０の左端が給電点ａでインピーダンス１００Ωの伝送線路５ＡＢに接続合流されているので、該伝送線路１０の左端のインピーダンスは５０Ωになる。同様に、この
伝送線路１０の右端（給電点ｅ）のインピーダンスも５０Ωになる。
上記電気的長さ２λの伝送線路１０の中央の点ｄは「電気的長さλ／４の伝送線路１１」を介して高周波回路９に接続導通されている。このようにして４個のループアンテナ素子から成るアレーが構成されている。この技術を適用して８個のループアンテナ素子から成るアレーを組むこともでき、２のｎ乗個のループアンテナ素子から成るアレーを構成することができる。
【実施例３】
【００４７】
図４は、電気的長さλの中心点ａを給電点とした伝送線路の模式的な斜視図であって、
（Ａ）は実施例３を示し、（Ｂ）は比較のために掲げた実施例１の給電部分である。
実施例１（図４（Ａ））は反射板６の上に電気絶縁板１２を取り付けて、その上にＰＣ線製の伝送線路１３を設置してある。ＰＣ線とは銅で被覆された鋼線であって、高周波電流に対するオーム抵抗が小さく、かつ、剛性が大きい。
図示したように、伝送線路として作用する部分の電気的長さはλで、その中心点ａに同軸ケーブル７の中心導体が接続されて、２本の電気的長さλ／２の伝送線路が構成されている。
上記のＰＣ線は電気的長さλ部分の両端を切断することなく、点ｂ，ｃで直角に折り上げて、電気的長さλ／４の励振２Ａ，２Ｂが形成されている。
【００４８】
図１の実施例１においては、絶縁支柱８を設けて、反射板６に対してプリント基板３を支持する構造としたが、図４（Ａ）のようにＰＣ線を用いると、このＰＣ線製伝送線路１３の垂直部分を支柱として励振器部分やループアンテナ素子を支持することができる。
さらに、本図４（Ｂ）のように両面プリント基板４を用いると、平板状絶縁部材の材質が制約され、例えばＡＢＳなどは基板にできない。
実施例３（図４（Ａ））のように、電気絶縁板１２と別体にＰＣ線製伝送線路１３を設けると、基板にできない材質の絶縁材を用いることができる。
基板にできる絶縁材、例えばエポキシ樹脂は、比較的高い周波数で損失が大きいから、
２ＧＨｚ以上で使用する場合には実施例３を適用してＡＢＳ製の電気絶縁板１２を構成することが望ましい。
【００４９】
２ＧＨｚ以上の高周波数の電波を送受信するためにＡＢＳ製の電気絶縁板１２を設けると、導通パターンから成るストリップラインを利用できないので、ＰＣ線製伝送線路１３を用いざるを得ない。ということは、生産性の良いストリップライン５を用いることができなくなる。しかしその反面、ＰＣ線製伝送線路は支柱の役目（既述）を果たすという長所を発揮する。
図４（Ａ）と（Ｂ）とに共通して、反射板６と伝送線路との間に電気絶縁材が存在すると、該伝送線路の機械的長さは電気的長さに比して誘電率εの平方根に反比例して短くなる（１／√εになる）。このため、複数個のループアンテナ素子の配置間隔が短縮され、アレーアンテナ装置全体としてＸ軸方向の寸法が短くなって好都合である。 
【００５０】
反射板６と伝送線路との間に配置する電気絶縁材の種類について考察すると、
ＡＢＳは、誘電率が３で、２ＧＨｚ以上の高周波における損失が少ないが、基板を構成できない（ＰＣ線製伝送線路の併用が必要である）。
エポキシ樹脂は、誘電率が４．８で、基板を構成することができ、価格も低廉であるが
２ＧＨｚ以上の高周波においては損失が大きい。
テフロン（登録商標）は、基板を構成することができ、２ＧＨｚ以上の高周波でも損失が少ないが、
誘電率が２．２でやや小さく、高価である。
上述のように実施例１と実施例２とは長短が有るから、選択に熟慮を要する。しかし、
このように熟慮選択の要が有ることは、設計的自由度が大きいという長所である。
【実施例４】
【００５１】
図５は，第１ループアンテナ素子１Ａ，同１Ｂ、および第１λ／４励振器２Ａ，同２Ｂから成るアンテナ素子群を示した模式図であって、
（Ａ）は実施例４における製作工程を表した分解図である。
（Ｂ）は比較のために示したもので、図１（実施例１）の１部分の平面図である。
実施例４は、先に述べた実施例３と併せて実施するに適しており、本図５（Ａ）に示した電気絶縁板１２、ＰＣ線製伝送線路１３、第１λ／４励振器２Ａ、および第２λ／４励振器２Ｂは、それぞれ前掲の図４（Ａ）に示した構成部材に対応している。
実施例１を描いた図５（Ｂ）におけるアンテナ素子が、プリント基板３の上に導通パターンで形成されているのに比して、図５（Ａ）図においては第１ループアンテナ素子１Ａおよび第２ループアンテナ素子１Ｂがそれぞれ実線で描いたように単品の部材として構成され、矢印Ｊ，Ｋのように電気絶縁板１４に取り付けられて、鎖線で描いた１Ａ，１Ｂの位置に設置される。
【００５２】
図５の（Ａ）と（Ｂ）との比較において、（Ｂ）のようにアンテナ素子を導通パターンで構成するよりも（Ａ）のように単品で製作する場合は、針金を切り取って折り曲げたり薄板材をプレス抜いたりして個々に作らなければならないので生産性が良くないが、
図２のような２ループ形のアレーアンテナや図３のような４ループ形のアレーアンテナ
などを多機種生産する場合、同じループアンテナ素子を各型式のアンテナに共用することができる。すなわち部品の互換性が良いので大量生産効果を享受することができ、かつ、
補給部品の在庫負担も少ない。
【００５３】
図６は、図１に示した実施例１に係るアレーアンテナのアンテナ性能を説明するための図表である。本例はプリント基板４に形成したストリップライン５で伝送線路を構成してあるので、電気絶縁板がエポキシ樹脂製であり、２ＧＨｚ以上の高周波には不適である。
本例のアレーアンテナは１．９ＧＨｚ用に製作したもので、図６（Ａ）のＳＷＲ図表に見られるごとく、１．９ＧＨｚ付近において広い同調周波数帯域を有している。
そして、本図６（Ｂ）に見られるように優れた一方向の指向性を有している。
【００５４】
図７は、２．４５ＧＨｚの電波を送受信するために構成したアレーアンテナの特性を示した図表である。
２ＧＨｚ以上の高周波でも損失が少ないように、前掲の図４（Ａ）に示した実施例３を
適用してＡＢＳ製の電気絶縁板１２を設けた。
図７（Ａ）に見られるように、２．４５ＧＨｚ付近で広い同調周波数帯域を有しており
同図、７（Ｂ）に見られるように優れた指向性を有している。
【００５５】
前掲の図７，図８に表されているように、本発明に係るアレーアンテナは一般に同調周波数帯域が広い。詳しくは次のとおりである。
（図１参照）本発明に係る総べての実施例において、反射板を配置した面Ｐと、ループアンテナ素子を配置した面Ｑとの間隔寸法を大きくすると同調周波数帯域が拡大し、該間隔寸法を小さくすると同調周波数帯域が縮小する傾向を有している。ただし、アンテナ利得その他の特性にも影響するので、この間隔寸法の拡大には限度が有る。
静電結合容量Ｃｃを大きくして結合を密にすると同調特性が双峰性を呈し、静電結合容量を小さくして結合を疎にすると同調特性が単峰性を呈する。その中間の状態で同調特性に平坦な箇所を生じる。この状態は臨界結合と呼ばれる。
本発明を実施する場合、結合静電容量Ｃｃを調節して臨界結合状態ならしめることにより、広い同調周波数帯域と高利得とを得ることが望ましい。
【図面の簡単な説明】
【００５６】
【図１】本発明の実施例１を模式的に描いた斜視図である。
【図２】本発明における実施例１の作用を説明するための模式図である。
【図３】本発明の実施例２を模式的に描いた展開図であって、実施例１における図２（Ｂ）に対応する図である。
【図４】本発明の実施例３を説明するために示したもので、（Ａ）は模式的な斜視図、（Ｂ）は比較のために掲げた実施例１の部分的な斜視図である。
【図５】本発明の実施例４を説明するために示したもので、（Ａ）は組み立て工程を表す模式的な斜視図、（Ｂ）は比較のために掲げた実施例１の部分的な平面図である。
【図６】２．２．４５ＧＨｚの電波を送受信するように構成した実施例におけるアンテナ特性を示し、（Ａ）はＳＷＲ図表、（Ｂ）は指向特性図表である。
【図７】１．９ＧＨｚの電波を送受信するように構成した実施例におけるアンテナ特性を示し、（Ａ）はＳＷＲ図表、（Ｂ）は指向特性図表である。
【符号の説明】
【００５７】
１Ａ…第１ループアンテナ素子
１Ｂ…第２ループアンテナ素子
１Ｃ…第３ループアンテナ素子
１Ｄ…第４ループアンテナ素子
２Ａ…第１λ／４励振器
２Ｂ…第２λ／４励振器
２Ｃ…第３λ／４励振器
２Ｄ…第４λ／４励振器
３…プリント基板
４…両面プリント基板
５…ストリップライン
５ＡＢ，５ＣＤ…伝送線路
６…反射板
７…同軸ケーブル
８…絶縁支柱
９…高周波回路
１０，１１…伝送線路
１２…電気絶縁板
１３…ＰＣ線製伝送線路
１４…電気絶縁板
Ｃｃ…結合静電容量
【図１】
2005130348.tif 000003
【図２】
2005130348.tif 000004
【図３】
2005130348.tif 000005
【図４】
2005130348.tif 000006
【図５】
2005130348.tif 000007
【図６】
2005130348.tif 000008
【図７】
2005130348.tif 000009